(57)【要約】【課題】大きなシャボン玉を発生させ、また多くの変化をもたせることができるジャンボシャボン玉を発生させる玩具を提供する。【解決手段】本玩具はシャボン玉発生装置及びシャボン玉液の容器からなる。シャボン玉液の容器は、手で持つ持ち手、長い棒状の液をつける部分、そして、少なくとも一組以上の移動式開閉構造があり、その移動式開閉構造には、第一接続アーム及び第二接続アームがある。第一接続アームの一端は長い棒状の液をつける部分に接続されていて、もう一端は第二接続アームの一端に接続されている。第二接続アームの一端と第一接続アームが軸接続され、もう一方の端には移動可能なジョイントがある。この移動可能なジョイントは、長い棒状の液をつける部分のスライドレール内で上下移動する。移動式開閉構造が少なくとも一組以上で、多種類の実施例が可能である。【選択図】図１
0003124010.tif 000002
【実用新案登録請求の範囲】
【請求項１】
シャボン玉発生装置及びシャボン玉液の容器からなり、シャボン玉液の容器は、手で持つ持ち手、長い棒状の液をつける部分、そして、少なくとも一組以上の移動式開閉構造があり、その移動式開閉構造には、第一接続アーム及び第二接続アームがあって、第一接続アームの一端は長い棒状の液をつける部分に接続されていて、もう一端は第二接続アームの一端に接続されていて、第二接続アームの一端と第一接続アームが軸接続され、もう一方の端には移動可能なジョイントがあって、この移動可能なジョイントは、長い棒状の液をつける部分のスライドレール内で上下移動するという特長を持つ、ジャンボシャボン玉を発生させる玩具。
【請求項２】
シャボン玉発生装置には二組の移動式開閉構造があって、それぞれ長い棒状の液をつける部分の上下の位置に設定されている、請求項１に記載の、ジャンボシャボン玉を発生させる玩具。
【請求項３】
長い棒状の液をつける部分のスライドレールに接続パーツがはめ込まれていて、二組の移動式開閉構造が第二接続アームによって軸接続して結合するようになっていて、接続パーツがスライドレールがスライドする時に同時に二組の移動式開閉構造を動かすという特長を持つ、請求項１に記載の、ジャンボシャボン玉を発生させる玩具。
【請求項４】
シャボン玉発生装置には二組の移動式開閉構造があって、長い棒状の液をつける部分には二本のスライドレールがあり、そのうち、一つのスライドレールともう一つのスライドレールは平行に設置され、高低をつけた落差のある配置になっていて、二組の移動式開閉構造は、それぞれ第二接続アームのもう一方の端に設置された移動可能なジョイントによってスライドレールの中に軸接続されていて、二組の移動式開閉構造が開くと、移動距離の短い移動式開閉構造がもう一つの移動式開閉構造の中に納まり、シャボン玉の中にシャボン玉が形成されるという特長を持つ、請求項１に記載の、ジャンボシャボン玉を発生させる玩具。
【請求項５】
長い棒状の液をつける部分にはスライドレールがあって、そのスライドレールがみぞになっていて、第二接続アームの一端にある移動可能なジョイントがその中でスライドするという特長を持つ、請求項１に記載の、ジャンボシャボン玉を発生させる玩具。
【請求項６】
スライドレールが、管状の部分内の丸い穴に設置されていて、管状の部分にはみぞがあって、丸い穴と通じていて、第二接続アームの移動可能なジョイントが球体で、丸い穴の中を移動できるという特長を持つ、請求項１に記載の、ジャンボシャボン玉を発生させる玩具。
【請求項７】
スライドレールが、管状の部分内の丸い穴に設置されていて、管状の部分にはみぞがあって、丸い穴と通じていて、スライドレールの中には軸があって、第二接続アームの移動可能なジョイントが軸の一端に接続していて、軸が穴の中を移動できるという特長を持つ、請求項１に記載の、ジャンボシャボン玉を発生させる玩具。
【請求項８】
長い棒状の液をつける部分が棒状の部分で、第二接続アームの移動可能なジョイントにリングが接続されていて、リングが棒状の部分に設置されていることにより、移動式開閉構造が棒状の部分を移動できるという特長を持つ、請求項１に記載の、ジャンボシャボン玉を発生させる玩具。
【請求項９】
長い棒状の液をつける部分が棒状の部分で、棒状の部分にシャボン玉液を吸収する吸収体がある、請求項１に記載の、ジャンボシャボン玉を発生させる玩具。
【請求項１０】
長い棒状の液をつける部分のスライドレールがくぼんでいて、そのくぼみの最も内部には一本の吸収体があって、第一接続アームと第二接続アーム合わさると、シャボン玉液を吸いつけた棒状の吸収体に接触し、シャボン玉液をつけるという特長を持つ、請求項１に記載の、ジャンボシャボン玉を発生させる玩具。
【考案の詳細な説明】
【技術分野】
【０００１】
本考案は、ジャンボシャボン玉を発生させる玩具に関する。
【背景技術】
【０００２】
従来のシャボン玉玩具は、ほとんどが小さなシャボン玉を発生させるものである。そこで、本考案の考案者は以前ジャンボシャボン玉を発生させる玩具を考案して、「シャボン玉発生装置」という名称で、日本の特許３１４６１９１号を取得した。上述の技術に言うところのシャボン玉玩具は、持ち手の上に長い棒状の液をつける部分、一対の接続パーツ及び移動式開閉構造がある。そのうち、長い棒状の液をつける部分の内側が持ち手に固定されていて、接続パーツは、それぞれ長い棒状の液をつける部分の本体の両側に設置されている。移動式開閉構造には少なくとも二本の回転接続アームがあって、この二本回転接続アームは、それぞれ内側が接続パーツに固定されている。二本の回転接続アームははめ込む状態で接続されるため、比較的小さな容器の口をしたシャボン玉容器内にも挿入することができ、これを取り出して開くと、大きなシャボン玉ができるようになっている。
【考案の開示】
【考案が解決しようとする課題】
【０００３】
本考案の目的は、前案をさらに進化させて、大きなシャボン玉を発生させる効果を高めた構造を提供することにある。
【課題を解決するための手段】
【０００４】
本考案のジャンボシャボン玉を発生させる玩具は、シャボン玉発生装置及びシャボン玉液の容器からなる。そのうち、シャボン玉液の容器は、手で持つ持ち手、長い棒状の液をつける部分、そして、少なくとも一組以上の移動式開閉構造があり、その移動式開閉構造には、第一接続アーム及び第二接続アームがある。第一接続アームの一端は長い棒状の液をつける部分に接続されていて、もう一端は第二接続アームの一端に接続されている。第二接続アームの一端と第一接続アームが軸接続され、もう一方の端には移動可能なジョイントがある。この移動可能なジョイントは、長い棒状の液をつける部分のスライドレール内で上下移動する。移動式開閉構造が少なくとも一組以上で、多種類の実施例が可能であることから、シャボン玉発生装置に多くの変化をもたせることができるという効果がある。
【考案の効果】
【０００５】
本考案のジャンボシャボン玉を発生させる玩具は、少なくとも一組以上の移動式開閉構造があり、この移動式開閉構造と長い棒状の液をつける部分が形成するラインに囲まれた面積の大きな空間があることで、シャボン玉液がつく面積が大きくなり、さらに、少なくとも一個以上の液をつけてシャボン玉を発生させる空間を構成することが可能であるという効果がある。
【０００６】
本考案のジャンボシャボン玉を発生させる玩具は、長い棒状の液をつける部分の内側に吸収体があり、移動式開閉構造が収納された時、棒状の吸収体が接触し、シャボン玉の液の量を多くするという効果がある。 
【考案を実施するための最良の形態】
【０００７】
図１から図４を参照いただきたい。ここに示されたものは第一実施例である。本考案のジャンボシャボン玉を発生させる玩具は、口の小さなシャボン玉液の容器２及びシャボン玉発生装置１からなる。シャボン玉発生装置１は、小さな容器の口２１を持つシャボン玉液の容器２に挿入することができ、シャボン玉液の容器２内にはシャボン玉液が収納されるようになっている。
【０００８】
シャボン玉発生装置１は、持ち手１１、長い棒状の液をつける部分１２、移動式開閉構造１３からなる。そのうち、持ち手１１は持つためのもので、長い棒状の液をつける部分１２には、スライドレール１２１があり、このスライドレール１２１は長い棒状の液をつける部分１２の上段部に設置される。長い棒状の液をつける部分１２の側面には、軸方向に液をつけるぎざぎざ部分１２２がある。移動式開閉構造１３は少なくとも二本の回転する第一接続アーム１３１及び第二接続アーム１３２があって、この二本の第一接続アーム１３１及び第二接続アーム１３２は、はめ込み式になっていて、回転できるようになっている。そのうち、第二接続アーム１３２のもう一方の端には移動可能なジョイント１３３があって、この移動可能なジョイント１３３があることで、第二接続アーム１３２がスライドレール１２１の中でスライドすることができる。第一接続アーム１３１及び第二接続アーム１３２内側の面と長い棒状の液をつける部分１２の接触面には液をつけるぎざぎざ部分１３４、１３５があって、シャボン玉液のつく量を多くする効果がある。
【０００９】
移動式開閉構造１３が収納されると、長い棒状の液をつける部分１２が直線状になり、長い棒状の液をつける部分１２内にぴったりと平行に収まる。長い棒状の液をつける部分１２が開くと、長い棒状の液をつける部分１２と共に、封鎖した形状を形成する。さらに、その構成されたシャボン玉を発生させる面の面積は大きいため、ついたシャボン玉液が、この開いた長い棒状の液をつける部分１２と移動式開閉構造１３が形成する空間の中で面積の大きい薄い膜を形成して、大きなシャボン玉を発生させることができる。
【００１０】
以下に説明するのは、第一実施例をさらに発展させた構造である。
図５に示したのは第二実施例である。シャボン玉発生装置１の長い棒状の液をつける部分１２にはスライドレール１２１があって、このスライドレール１２１は、長い棒状の液をつける部分１２の下段部に設置されている。移動式開閉構造１３には少なくとも二本の回転する第一接続アーム１３１及び第二接続アーム１３２がある。この二本の第一接続アーム１３１及び第二接続アーム１３２は、はめ込み式になっていて、そのうち、第二接続アーム１３２のもう一方の端には移動可能なジョイント１３３があって、この移動可能なジョイント１３３があることで、第二接続アーム１３２がスライドレール１２１の中でスライドすることができる。第一接続アーム１３１及び第二接続アーム１３２が構成する空間はシャボン玉の液をつけるようになっている。
【００１１】
図６を参照いただきたい。第三実施例である。シャボン玉発生装置１の長い棒状の液をつける部分１２には、二本のスライドレール１２１がある。この二本のスライドレール１２１は、それぞれ二組の移動式開閉構造１３が設置されている。この二組の移動式開閉構造１３は同じ側に設置されていて、それぞれ上下に二個のシャボン玉液のつく空間を形成する。
【００１２】
図７を参照いただきたい。第四実施例である。シャボン玉発生装置１の長い棒状の液をつける部分１２には、二本のスライドレール１２１があって、長い棒状の液をつける部分１２の上段と下段の位置に、異なる側にそれぞれ液をつけるぎざぎざ部分１２２がある。異なる側にある液をつけるぎざぎざ部分１２２の位置にあるスライドレール１２１には、移動式開閉構造１３が取り付けられている。このため、二本の独立したスライドレール１２１はそれぞれ二組の移動式開閉構造１３があって、この二組の移動式開閉構造１３には異なる側に、上と下に二個の異なるシャボン玉発生装置を形成する。
【００１３】
図８を参照いただきたい。第五実施例である。シャボン玉発生装置１の長い棒状の液をつける部分１２には、一本のスライドレール１２１があって、長い棒状の液をつける部分１２の両側に液をつけるぎざぎざ部分それぞれ液をつけるぎざぎざ部分１２２がある。このスライドレール１２１には接続パーツ１４があって、接続パーツ１４の両側にそれぞれ移動式開閉構造１３が結合している。二組の移動式開閉構造１３の第一接続アーム１３１及び第二接続アーム１３２ははめ込み式である。第一接続アーム１３１及び第二接続アーム１３２内側の面と、長い棒状の液をつける部分１２の液をつけるぎざぎざ部分１２２の接触面には、液をつけるぎざぎざ部分１３４、１３５がある。そのうち、第二接続アーム１３２のもう一方の端には、移動可能なジョイント１３３がある。移動可能なジョイント１３３があることで、第二接続アーム１３２が接続パーツ１４に結合することができる。接続パーツ１４がスライドすると、同時に、二組の移動式開閉構造１３が作動して開き、二組の移動式開閉構造１３が二つの独立した三角形を構成する。さらに、シャボン玉発生装置１を振ると、連続して二個の大きなシャボン玉を発生させることができる。
【００１４】
もう一種の、二個のシャボン玉を発生させる構造については図９を参照いただきたい。この第六実施例では、シャボン玉の中にシャボン玉を発生させることが可能である。シャボン玉発生装置１の長い棒状の液をつける部分１２には、二本のスライドレール１２１、１２１’があって、そのうち、スライドレール１２１にはやや長いスライドみぞがある。もう一つのスライドレール１２１’とスライドレール１２１は平行に設置され、高低をつけた落差のある配置になっている。スライドレール１２１’の長さはやや短く、二組の移動式開閉構造１３、１３’は、それぞれ第一接続アーム１３１、１３１’で長い棒状の液をつける部分１２に軸接続される。第二接続アーム１３２、１３２’は、それぞれもう一方の端に設置された移動可能なジョイント１３３、１３３’で、スライドレール１２１、１２１’の中に軸接続される。二組の移動式開閉構造１３、１３’内側の面には、液をつけるぎざぎざ部分１３４、１３５及び１３４’、１３５’があって、シャボン玉液が多くつくようになっている。二組の移動式開閉構造１３、１３’が開くと、移動式開閉構造１３’がもう一つの移動式開閉構造１３の中に納まり、シャボン玉発生装置１を振ると、シャボン玉の中にシャボン玉が形成される。
【００１５】
図１０を参照いただきたい。第七実施例である。シャボン玉発生装置３は、持ち手３１、長い棒状の液をつける部分３２、移動式開閉構造３３からなる。そのうち、長い棒状の液をつける部分３２は管状の部分３２１で、スライドレール３２３は、管状の部分３２１内の丸い穴の中に設置される。管状の部分３２１には、みぞ３２４があって、丸い穴と通じている。管状の部分３２１のみぞ３２４の縁には液をつけるぎざぎざ部分３２２がある。移動式開閉構造３３は少なくとも二本の回転する第一接続アーム１３１及び第二接続アーム１３２がある。この二本の第一接続アーム３３１及び第二接続アーム３３２は、はめ込み状になっている。移動式開閉構造３３の第一接続アーム３３１及び第二接続アーム３３２内側の面には、液をつけるぎざぎざ部分３３４、３３５がある。第二接続アーム３３２のもう一方の端には移動可能なジョイント３３３がある。この移動可能なジョイント３３３は球体をしていて、管状の部分３２１の丸い穴の中を移動することができる。移動可能なジョイント３３３がスライドレール３２３内を上下に移動することにより、移動式開閉構造３３を動かして開閉動作をさせる。
【００１６】
上述の第七実施例は図１５に示した構造と組み合わせることも可能である。長い棒状の液をつける部分３２は管状の部分３２１になっていて、スライドレール３２３は管状の部分３２１内の丸い穴の中に設置される。管状の部分３２１にはみぞ３２４があって、丸い穴と通じている。管状の部分３２１のみぞ３２４の縁には液をつけるぎざぎざ部分３２２がある。スライドレール３２３には、軸３４が設置されていて、この軸３４は管状の部分３２１内を移動する。軸３４にある液をつけるぎざぎざ部分３４１は、ちょうどみぞ３２４の位置になる。移動式開閉構造３３が第二接続アーム３３２で移動可能なジョイント３３３と軸３４と軸結合すると、軸３４の上下移動によって移動式開閉構造３３を開閉させる。
【００１７】
もう一種類の、別の形式の管状の部分の実施例の長い棒状の液をつける部分の構造は、図１１の第八実施例を参照いただきたい。シャボン玉発生装置３’は、持ち手３１’、長い棒状の液をつける部分３２３’、移動式開閉構造３３’からなる。そのうち、長い棒状の液をつける部分３２’は棒状の部分３２１’で、棒状の部分３２’下段の位置にはリング３６’が固定されている。このリング３６’は移動式開閉構造３３’の第一接続アーム３３１’の一端に固定されている。第一接続アーム３３１’と第二接続アーム３３２’は、はめ込み式である。第二接続アーム３３２’のもう一方の端は、移動可能なジョイント３３３’でリング３５’にはめ込まれている。このリング３５’は、棒状の部分３２１’に設置されていて、さらに、移動することができる。棒状の部分３２１’にはまた、吸収体３４’が設置されている。この吸収体３４’はシャボン玉液を吸収して、移動式開閉構造３３’の液をつけるぎざぎざ部分３３４’、３３５’により多くのシャボン玉液を提供するようになっている。
【００１８】
また別に、シャボン玉液を吸い付ける構造については、図１２及び図１３に示した第九実施例を参照いただきたい。シャボン玉発生装置１は、持ち手１１、長い棒状の液をつける部分１２、移動式開閉構造１３からなる。そのうち、長い棒状の液をつける部分１２にはスライドレール１２１があり、このスライドレール１２１は、長い棒状の液をつける部分１２の上段部に設置される。長い棒状の液をつける部分１２の側面には液をつけるぎざぎざ部分１２２があって、スライドレール１２１がくぼんでいて、スライドレール１２１のくぼみの最も内部には一本の吸収体４がある。移動式開閉構造１３は少なくとも二本の回転する第一接続アーム１３１及び第二接続アーム１３２があって、この二本の第一接続アーム１３１及び第二接続アーム１３２ははめ込み式になっていて回転するようになっている。そのうち、第二接続アーム１３２のもう一方の端は移動可能なジョイント１３３に設置される。移動可能なジョイント１３３があることで、第二接続アーム１３２はスライドレール１２１の中をスライドするようになっている。第一接続アーム１３１及び第二接続アーム１３２の内側の面と長い棒状の液をつける部分１２の接触面には、液をつけるぎざぎざ部分１３４、１３５があって、シャボン玉の液が多くつくようになっている。移動式開閉構造１３の第一接続アーム１３１及び第二接続アーム１３２が収納されると、シャボン玉液を吸いつけた棒状の吸収体４に接触し、シャボン玉液をつける。
【００１９】
移動式開閉構造１３が合わさった時、長い棒状の液をつける部分１２は直線状になり、長い棒状の液をつける部分１２内に平行にぴったりと張り付く。長い棒状の液をつける部分１２内の棒状の吸収体４は、持ち手１１の中に伸びて納まっている。そして、持ち手１１内にはシャボン玉液５が収納されている。移動式開閉構造１３は棒状の吸収体４が吸収したシャボン玉液５を引き続き供給する。
シャボン玉液５の入った持ち手１１は、長い棒状の液をつける部分１２が結合する位置に固定する外、図１４に示したように、シャボン玉液５の入った持ち手１１の底部に固定する構造でも可能である。
【図面の簡単な説明】
【００２０】
【図１】本考案第一実施例のシャボン玉発生装置及びシャボン玉液の容器の立体図である。
【図２】本考案第一実施例のシャボン玉発生装置の立体分解図である。
【図３】本考案の第一実施例のシャボン玉発生装置の立体分解図である。
【図４】本考案の第一実施例のシャボン玉発生装置の使用中の動作を示した立体図である。
【図５】本考案のシャボン玉発生装置の第二実施例の平面図である。
【図６】本考案のシャボン玉発生装置の第三実施例の平面図である。
【図７】本考案のシャボン玉発生装置の第四実施例の平面図である。
【図８】本考案のシャボン玉発生装置の第五実施例の平面図である。
【図９】本考案のシャボン玉発生装置の第六実施例の平面図である。
【図１０】本考案第七実施例のシャボン玉発生装置の使用中の動作を示した立体図である。
【図１１】本考案第八実施例のシャボン玉発生装置の使用中の動作を示した立体図である。
【図１２】本考案第九実施例のシャボン玉発生装置の使用中の動作を示した立体図である。
【図１３】本考案第九実施例のシャボン玉発生装置の部分平面断面図である。
【図１４】本考案第九実施例のシャボン玉発生装置のもう一つの実施状態の部分平面断面図である。
【図１５】本考案第十実施例のシャボン玉発生装置の使用中の動作を示した立体図である。
【符号の説明】
【００２１】
１            シャボン玉発生装置
１１          持ち手
１２          長い棒状の液をつける部分
１２１、１２１’        スライドレール
１２２        液をつけるぎざぎざ部分
１２３        みぞ
１３、１３’        移動式開閉構造
１３１、１３１’    第一接続アーム
１３２、１３２’    第二接続アーム
１３３、１３３’    移動可能なジョイント
１３４、１３５      液をつけるぎざぎざ部分
１３４’、１３５’    液をつけるぎざぎざ部分
１４          接続パーツ
２            シャボン玉液の容器
２１          容器の口
３、３’      シャボン玉発生装置
３１、３１’      持ち手
３２、３２’       長い棒状の液をつける部分
３２１          管状の部分
３２１’        棒状の部分
３２２          液をつけるぎざぎざ部分
３２３          スライドレール
３２４          みぞ
３３、３３’     移動式開閉構造
３３１、３３１’    第一接続アーム
３３２、３３２’    第二接続アーム
３３３、３３３’    移動可能なジョイント
３３４、３３５      液をつけるぎざぎざ部分
３３４’、３３５’    液をつけるぎざぎざ部分
３４            軸
３４１          液をつけるぎざぎざ部分
３４’          吸収体
３５’、３６’      リング
４            吸収体
５            シャボン玉液
【図１】
0003124010.tif 000003
【図２】
0003124010.tif 000004
【図３】
0003124010.tif 000005
【図４】
0003124010.tif 000006
【図５】
0003124010.tif 000007
【図６】
0003124010.tif 000008
【図７】
0003124010.tif 000009
【図８】
0003124010.tif 000010
【図９】
0003124010.tif 000011
【図１０】
0003124010.tif 000012
【図１１】
0003124010.tif 000013
【図１２】
0003124010.tif 000014
【図１３】
0003124010.tif 000015
【図１４】
0003124010.tif 000016
【図１５】
0003124010.tif 000017